【手続補正書】
【提出日】平成15年4月25日(2003.4.25)
【手続補正１】
【補正対象書類名】明細書
【補正対象項目名】特許請求の範囲
【補正方法】変更
【補正の内容】
【特許請求の範囲】
【請求項１】
空力ロータリ工具であって、
ハウジングと、
長手方向の軸回りに回転可能に前記ハウジングに支持され、対象物にトルクを伝達するために前記ハウジングから延びた出力シャフトと、
前記ハウジング内に配置され、前記出力シャフトを回転駆動するために前記出力シャフトに接続されたエアモータと、
前記ハウジングに支持され、圧縮エアの供給源に接続するよう構成されたエア取入口と、
前記出力シャフトを駆動する前記モータに動力を付与するよう、圧縮空気を前記モータに供給するための前記エア取入口から前記モータに延びるエア通路と、
前記ハウジングに支持され、前記モータから工具ハウジングの外にエアを排出するためのエア排出口とから構成され、
前記エアモータは更に、第１の開放端末と第２の開放端末とを有する円筒状の支持スリーブと、前記支持スリーブ内で回転可能なロータであってロータの回転によってロータから半径方向外側に伸びる複数のベーンを有するロータと、前記第１の開放端末に取り付けられた第１の端末キャップと、前記第２の開放端末に取り付けられた第２の端末キャップとから構成され、前記第１と第２の両端末キャップは前記支持スリーブとは別個に形成され、使用時に工具に力が加わった状態での前記ハウジングに対する傾斜に対抗して前記支持スリーブを前記ハウジング内に支持するよう前記第１と第２の両端末キャップが前記支持スリーブとかみ合っている空力ロータリ工具。
【請求項２】
前記支持スリーブと前記両端末キャップが、共通の中心軸上で前記支持スリーブと両端末キャップとの半径方向の位置決めをするよう形成されている、請求項１に記載の空力ロータリ工具。
【請求項３】
両端末キャップのそれぞれが、前記支持スリーブの対応するいずれかの開放端末内に延び、前記支持スリーブの内径端部マージンとして前記支持スリーブにかみ合って前記端末キャップを半径方向に位置決めする環状突出部と、前記端末キャップと前記支持スリーブの軸方向の位置決めをするために前記支持スリーブの各一方の軸方向端末と係合する環状フランジとを備えている、請求項２に記載の空力ロータリ工具。
【請求項４】
前記ハウジングは更に、前記出力シャフトがマウラー機構ケースの外側端末から延びるよう、前記ハウジングと係合可能な後側端末を有するマウラー機構ケースを備えている、請求項２に記載の空力ロータリ工具。
【請求項５】
第１の端末キャップが更に、マウラー機構ケースと第１の端末キャップとを、両者が円筒軸に沿って位置合わせされるよう向きを定め、前記工具が衝撃を受けても前記マウラー機構ケースと前記第１の端末キャップに位置ずれが生じないようにするために、マウラー機構ケースの後側内部ショルダとかみ合う前側外部ショルダを備えている、請求項４に記載の空力ロータリ工具。
【請求項６】
前記ハウジングを通って延びる前記マウラー機構ケースと係合可能な複数のボルトを更に備え、前記ボルトは協働して前記工具の内部構成部品を圧縮し、前記両端末キャップを前記支持スリーブに確実に係合させて、前記工具が衝撃を受けても前記ハウジング、支持スリーブ、両端末キャップ、マウラー機構ケース、ボルトの係合関係が協働して前記ハウジングに対する前記エアモータの移動に抵抗する相応な剛性と強度とを形成する、請求項５に記載の空力ロータリ工具。
【請求項７】
前記ハウジングが非金属材料から形成されている、請求項１に記載の空力ロータリ工具。
【請求項８】
前記ハウジングがプラスチック材料から形成され、前記エアモータを位置決めする、請求項７に記載の空力ロータリ工具。
【請求項９】
前記エア通路を通るエアの流れを調整する位置において前記ハウジングに支持されたトルクセレクタを更に備え、これによって前記トルクセレクタの選択的な調整が前記モータのトルク出力を変化させる、請求項１に記載の空力ロータリ工具。
【請求項１０】
前記ハウジングが更にエンドカバーを含み、前記トルクセレクタは前記エンドカバー内で回動可能であり、前記トルクセレクタは、前記エア通路内に配置された部分を備えて当該セレクタを通過するエアの流れを調整し、前記トルクセレクタは複数の異なる大きさのポートを含んで複数の異なる位置の間に移動可能であり、異なるポートの１つを前記エア通路と導通させて前記モータ内へのエアの流れを制御し、これによって前記モータのトルク出力を制御する、請求項９に記載の空力ロータリ工具。
【請求項１１】
前記エアモータが前記モータからエア排出口にエアを排出するための早期段階排気ポートと、前記モータ内のバック圧力を低減するため前記モータから残留エアを放出するための後続段階排気ポートとを有する、請求項１に記載の空力ロータリ工具。
【請求項１２】
前記エア取入口が更に、エアが通過する取入口シリンダを備え、前記ハウジングが前記取入口シリンダをハウジング内に保持するよう当該取入口シリンダの外周の回りに形成されている、請求項１に記載の空力ロータリ工具。
【請求項１３】
前記エア取入口が更に、エアが通過する取り付け部とコネクタとを有し、前記取り付け部が前記取入口シリンダ内に取り外し可能にねじ込まれる、請求項１２に記載の空力ロータリ工具。
【請求項１４】
前記コネクタが、前記取り付け部に対してピボット回転可能に前記取り付け部に取り付けられている、請求項１３に記載の空力ロータリ工具。
【請求項１５】
前記取り付け部が、前記取入口シリンダの中で前記取り付け部を回転させる六角形キーを受け入れ可能な大きさと形状に形成された六角形キーウェイを含み、これによって前記ねじを係合させて前記取り付け部を前記取入口シリンダ内に完全にねじ込み可能とする、請求項１４に記載の空力ロータリ工具。
【請求項１６】
前記ハウジングが更に、当該ハウジングから下方に延びるグリップを備え、前記グリップは更に、前記グリップの上に被せて成形され、そしてユーザの手にかかる圧力を和らげて緩和し、前記グリップとユーザとの間の摩擦を高めるために形成された柔軟材料の外層を含み、ユーザが前記工具を確実に掴んで保持することを可能にする、請求項１に記載の空力ロータリ工具。
【請求項１７】
空力ロータリ工具であって、
ハウジングと、
長手方向の軸の回りに回転可能に前記ハウジングに支持され、対象物にトルクを伝達するために前記ハウジングから延びている出力シャフトと、
前記ハウジング内に配置され、前記出力シャフトを正逆両方向に回転駆動するために前記出力シャフトに接続されたエアモータと、
前記ハウジングに支持され、圧縮エアの供給源に接続するよう構成されたエア取入口と、
前記出力シャフトを駆動する前記モータに動力を付与するため圧縮空気を前記モータに供給する、前記エア取入口から前記モータに延びるエア通路と、
前記ハウジングに支持され、前記モータから工具ハウジングの外部にエアを排出するためのエア排出口と、
前記通路を通るエアの流れを調整する位置で前記ハウジングに支持されたトルクセレクタとから構成され、前記トルクセレクタが、前記位置におけるエア通路の有効断面積を選択的に変化させるよう形成され、これによってエアの流れ、更には前記モータのトルク出力を制御する空力ロータリ工具。
【請求項１８】
前記トルクセレクタの選択的調整が前記モータのトルク出力を変化させ、前記トルクセレクタが前記モータのトルクを制御する複数の位置の間で前記ハウジングに対して移動可能に取り付けられ、各位置がエアの流れを制御するために前記通路内の異なる大きさのポートに対応しており、これによって前記モータのトルク出力を制御する、請求項１７に記載の空力ロータリ工具。
【請求項１９】
前記トルクセレクタ内の前記ポートが大きさに従って順に配置され、前記トルクセレクタの一方向への動きがトルク出力を増加させ、前記トルクセレクタの他方への動きがトルク出力を減少させる、請求項１８に記載の空力ロータリ工具。
【請求項２０】
前記複数のポートが、断面積が変化する４つのポートから構成される、請求項１９に記載の空力ロータリ工具。
【請求項２１】
前記ハウジングが更にエンドカバーを備え、前記トルクセレクタが前記エンドカバー内で回動可能である、請求項１７に記載の空力ロータリ工具。
【請求項２２】
前記エンドカバーが更に、前記トルクセレクタの位置とは無関係に前記通路を通る最小量の圧縮エアを通過させるオリフィスを含んでいる、請求項２１に記載の空力ロータリ工具。
【請求項２３】
前記エンドカバーが更に、前記通路の有効断面積を変化させるために使用されるセレクタ通路を、前記オリフィスと並行する他の通路を提供することによって設け、これにより前記通路の有効な合計断面積と前記トルクセレクタを通過する圧縮エアの量とを増加させる、請求項２２に記載の空力ロータリ工具。
【請求項２４】
前記セレクタ通路へのエアの導入を可能にするため、前記トルクセレクタが、選択的に位置決め可能な異なる大きさの複数のポートを備えて形成されている、請求項２３に記載の空力ロータリ工具。
【請求項２５】
前記エアモータが前記モータからエア排出口にエアを排出するための早期段階排気ポートと、前記モータ内のバック圧力を低減するため前記モータから残留エアを放出するための後続段階排気ポートとを有する、請求項１７に記載の空力ロータリ工具。
【請求項２６】
前記エアモータは更に、第１の開放端末と第２の開放端末とを有する円筒状の支持スリーブと、前記支持スリーブ内で回転可能であり、ロータの回転によってロータから半径方向外側に延びる複数のベーンを有するロータと、前記第１の開放端末に取り付けられた第１の端末キャップと、前記第２の開放端末に取り付けられた第２の端末キャップとから構成され、前記第１と第２の端末キャップは前記支持スリーブとは別個に形成され、使用時に工具に力が加わった折の前記ハウジングに対する傾斜に対抗して前記支持スリーブを前記ハウジング内に支持するよう前記第１と第２の端末キャップが前記支持スリーブにかみ合い、前記支持スリーブと前記両端末キャップとは、共通の中心軸上で前記支持スリーブと両端末キャップの半径方向の位置に形成されている、請求項１７に記載の空力ロータリ工具。
【請求項２７】
前記エア取入口が更に、エアが通過する取入口シリンダを備え、前記ハウジングが当該取入口シリンダの外周の回りに形成されて前記取入口シリンダをハウジング内に保持している、請求項１７に記載の空力ロータリ工具。
【請求項２８】
前記取入口シリンダが更に、エアが通過する取り付け部とコネクタとを有し、前記取り付け部が前記取入口シリンダ内にねじ込まれる、請求項２７に記載の空力ロータリ工具。
【請求項２９】
前記コネクタが、前記取り付け部に対してピボット回転可能に前記取り付け部に搭載されている、請求項２８に記載の空力ロータリ工具。
【請求項３０】
前記取り付け部が工具を受け入れ可能であり、当該工具と取り付け部とが、前記取り付け部を前記取入口シリンダ内に取り付けできるよう一緒に回転可能である、請求項２８に記載の空力ロータリ工具。
【請求項３１】
前記取り付け部が前記工具を受け入れ可能なキーウェイを含む、請求項３０に記載の空力ロータリ工具。
【請求項３２】
前記キーウェイが六角形状である、請求項３１に記載の空力ロータリ工具。
【請求項３３】
前記ハウジングが更に、当該ハウジングから下方に延びるグリップを備え、前記グリップは更に、前記グリップの上に被せて成形され、そしてユーザの手にかかる圧力を和らげて緩和し、前記グリップとユーザとの間の摩擦を高めるために形成された柔軟材料の外層を含み、ユーザが前記工具を確実に保持することを可能にした、請求項１７に記載の空力ロータリ工具。
【請求項３４】
空力工具に使用されるロータリベーン・エアモータであって、
円筒形状のモータハウジングと、
前記モータハウジング内で回転可能なロータで、前記ロータは、ロータ回転時に当該ロータから半径方向外側に延びて前記モータハウジングの内部に接触する複数のベーンを有し、回転の最も前側にあるベーンが先行ベーンとなり、このベーンの直後に続くベーンが追従ベーンとなり、前記相隣接するベーンは前記モータ内に複数の空洞を形成し、前記ロータが回転して前記空洞が吸気ポートの前を通過すると圧縮エアの一部を受け入れ、前記圧縮エアは前記先行ベーンを押し、これによって前記ロータを回転させ、前記各一対の隣接するベーンの間に形成される空洞は、前記モータハウジング内での位置に応じて前記ロータが回転すると各空洞が動力供給段階と、排気段階と、回復段階とを移動するように区分され得るロータと、
前記ハウジングと連係し、前記排気及び回復段階における追従ベーン上へのバック圧力を阻止するため主要及び副次的排気を許容するように配置された排出口と、から構成される空力工具に使用されるロータリベーン・エアモータ。
【請求項３５】
前記排気段階の始めにおいて前記モータハウジングに形成される第１の排気ポートを更に含み、前記空洞が動力供給段階を終了した後に前記先行ベーンが前記第１の排気ポートを通過すると前記圧縮エアが前記モータハウジングから排出され、前記追従ベーンが前記第１の排気ポートを通過したときに前記空洞内のエアを非圧縮状態とする、請求項３４に記載の空力工具に使用されるロータリベーン・エアモータ。
【請求項３６】
前記空洞が通過したときに前記モータハウジングから残留のエアを排出するため、前記排気段階の最終において前記モータハウジングに形成される第２の排気ポートを更に含み、前記空洞の体積が減少することで前記追従ベーンに工具のトルク出力を減少させるバック圧力が形成されない、請求項３４に記載の空力工具に使用されるロータリベーン・エアモータ。
【請求項３７】
前記エアモータは更に、第１の開放端末と第２の開放端末とを有する円筒状の支持スリーブであって当該支持スリーブ内で前記ロータが回転可能な支持スリーブと、前記第１の開放端末に取り付けられた第１の端末キャップと、前記第２の開放端末に取り付けられた第２の端末キャップとから構成され、前記第１と第２の端末キャップは前記支持スリーブとは別個に形成され、前記第１と第２の端末キャップは前記支持スリーブを支持するよう前記支持スリーブとかみ合い、
両端末キャップのそれぞれは、前記支持スリーブの対応するいずれかの開放端末内に延び、前記支持スリーブの内径端部マージンとして前記支持スリーブにかみ合って前記端末キャップを半径方向に位置決めする環状突出部と、前記端末キャップと前記支持スリーブの軸方向の位置決めをするために前記支持スリーブの各１方の軸方向端末と係合する環状フランジとを備える、請求項３４に記載の空力工具に使用されるロータリベーン・エアモータ。
【請求項３８】
空力ロータリ工具であって、
ハウジングと、
長手方向の軸の回りに回転可能に前記ハウジングに支持され、対象物にトルクを伝達するために前記ハウジングから延びている出力シャフトと、
前記ハウジング内に配置され、前記出力シャフトを回転駆動するために前記出力シャフトに接続されたエアモータと、
前記ハウジングに支持され、前記出力シャフトを駆動する前記モータに動力を付与すべく、圧縮空気を前記モータに供給するため圧縮エアの供給源に接続するよう構成されたエア取入口とから構成され、
前記エア取入口が更に、エアが通過する取入口シリンダを備え、前記ハウジングが当該取入口シリンダの外周の回りに形成されて前記取入口シリンダをハウジング内に保持している空力ロータリ工具。
【請求項３９】
前記取入口シリンダが更に、前記取入口シリンダを前記ハウジング内に固定するために前記ハウジングの突出部と係合する少なくとも１つの溝を備えている、請求項３８に記載の空力ロータリ工具。
【請求項４０】
空力工具であって、
ハウジングと、
前記ハウジングから下方に延びてユーザが前記工具を確実に掴んで保持できるようにするグリップとを備え、前記グリップは更に、ユーザの手にかかる圧力を和らげて緩和し、前記グリップとユーザの間の摩擦を高めるよう形成された柔軟材料の外層を含む空力ロータリ工具。
【請求項４１】
前記柔軟材料からなる外層が、前記グリップに被せて形成されている、請求項４０に記載の空力工具。
【請求項４２】
前記外装がゴムから形成されている、請求項４１に記載の空力工具。
【請求項４３】
空力ロータリ工具を組み立てる方法であって、
第１の端末キャップを支持スリーブの一方の端末へかみ合わせ、
前記支持スリーブ内にロータと複数のベーンとを配置し、
第２の端末キャップを前記支持スリーブの反対側の端末へかみ合わせ、前記第１と第２の両端末キャップ、ロータ、ベーンが協働でエアモータを形成し、
前記エアモータをハウジング内に挿入し、
マウラー機構を前記モータとかみ合わせるよう、マウラー機構ケースを前記ハウジングにかみ合わせ、
エンドカバーを前記ハウジングに取り付け、
前記エンドカバーとハウジングを通して複数のボルトを挿入し、
前記ボルトを前記マウラー機構ケースにねじ込むこと、から構成され、前記ボルトは前記エンドカバーを前記ハウジングに向けて引き寄せ、前記ハウジングを前記マウラー機構ケースに引き寄せ、これによって前記両端末キャップと前記エアモータの支持スリーブが前記ハウジング内で圧縮されて前記両端末キャップを前記支持スリーブに完全に当接させ、前記モータと、ハウジングと、エンドカバーとが協働で前記工具内で前記エアモータを適切に位置決めする空力モータ工具を組み立てる方法。
【請求項４４】
取入口シリンダ上に流動性のプラスチックによって前記ハウジングを形成する手順を更に含み、前記流動性のプラスチックが、エア源からのエアが前記工具内に導入可能となるよう、前記取入口シリンダの外周を取り巻き、係合する、請求項４３に記載の方法。